(57)【要約】【課題】効率良く衝撃を緩和することができる緩衝シートを提供すること。【解決手段】粘弾性を有するシート状の第１の部材３ａと、前記第１の部材３ａの両主面に設けられ、前記第１の部材３ａより剛性の低い第２の部材３ｂとを具備する。【選択図】      図３
2006130697.tif 000002
【特許請求の範囲】
【請求項１】
粘弾性を有するシート状の第１の部材と、
前記第１の部材の両主面に設けられ、前記第１の部材より剛性の低い第２の部材と、
を具備することを特徴とする緩衝シート。
【請求項２】
粘弾性を有する第１の部材と、
前記第１の部材を保持し、前記第１の部材より剛性が低い第２の部材と、
を具備し、
前記第２の部材はシート状をしており、前記第１の部材は前記第２の部材の内部に含まれていることを特徴とする緩衝シート。
【請求項３】
粘弾性を有する第１の部材と、
前記第１の部材を保持し、前記第１の部材より剛性が低い第２の部材と、
を具備し、
前記第２の部材は複数のシート状の部材で構成されており、前記第１の部材は前記第２の部材のシート状の部材の間に挟まれていることを特徴とする緩衝シート。
【請求項４】
本体と、
前記本体内に設けられる磁気記録装置と、
を具備し、
前記本体と前記磁気記録装置との間に介装される請求項１または請求項２または請求項３に記載された緩衝シートを有する電子機器。
【発明の詳細な説明】
【技術分野】
【０００１】
本発明は、落下等による衝撃を緩和するための緩衝シート及びこれを備えた電子機器に関する。
【背景技術】
【０００２】
磁気記録装置や表示装置等はデリケートなものであり、多少の衝撃が加わっただけで簡単に破損してしまう。そのため、電気製品に磁気記録装置や表示装置等を搭載するときには、電気製品の筐体と磁気記録装置あるいは表示装置との間に粘弾性を備えた緩衝部材を配設して、電気製品の筐体に加わった衝撃が磁気記録装置や表示装置等に伝わり難いように配慮している（例えば、特許文献１参照。）。
【０００３】
以下、図１１と図１２を参照しながら磁気記録装置を備えた携帯情報端末（電子機器）を例にして緩衝部材の機能について説明する。なお、図１１と図１２において、符号Ｇは地面を示している。
【０００４】
図１１（ａ）に示すように、この携帯情報端末において、磁気記録装置１００は、携帯情報端末の筐体１０１の内面に直接固定され、その内部にはモータ１０２により回転駆動される磁気ディスク１０３と、この磁気ディスク１０３の記録面１０３ａに対向配置される磁気ヘッド１０４が設けられている。
【０００５】
この携帯情報端末が磁気ディスク１０３の軸心線方向に落下すると、その衝撃が携帯情報端末の筐体１０１から磁気記録装置１００に伝わり、磁気ヘッド１０４に大きな加速度が生じる。これにより、図１１（ｂ）に示すように、磁気ヘッド１０４が磁気ディスク１０３の記録面等に衝突し、磁気ディスク１０３あるいは磁気ヘッド１０４を損傷させてしまう。
【０００６】
そこで、図１２（ａ）に示すように、携帯情報端末の筐体１０１と磁気記録装置１００の間に円柱型の緩衝部材１０５を配設すると、携帯情報端末が磁気ディスク１０３の軸心線方向に落下しても、緩衝部材１０５の変形により衝撃が吸収され、図１２（ｂ）に示すように、磁気記録装置１００内の磁気ディスク１０３や磁気ヘッド１０４が損傷し難くなる。
【特許文献１】特開平１０−１９３１９４号公報
【発明の開示】
【発明が解決しようとする課題】
【０００７】
ところで、従来から使用されている緩衝部材は粘着性が強く、緩衝部材が変形するときに、緩衝部材と電気製品の筐体との境界面、及び緩衝部材と磁気記録装置あるいは表示装置との境界面に大きな摩擦抵抗が生じる。このため、緩衝部材のうち、電気製品の筐体側の部分や磁気記録装置あるいは記録装置側の部分は、前記摩擦抵抗により変形が拘束され、緩衝部材が樽型形状となってしまう。
【０００８】
しかしながら、緩衝部材は変形することにより衝撃を緩和させるものであるため、十分に変形することができない場合には、十分に衝撃を緩和することができない。すなわち、従来から使用されている緩衝部材では、電気製品の筐体側の部分や磁気記録装置あるいは記録装置側の部分が衝撃の緩和に十分に寄与できていなかった。
【０００９】
なお、緩衝部材と電気製品の筐体との境界面、及び緩衝部材と磁気記録装置あるいは表示装置との境界面に潤滑剤を塗れば摩擦抵抗を低減することはできるが、電気製品の筐体内で潤滑剤が飛散し、他の部品が故障する恐れがある。
【００１０】
本発明は、前記事情を鑑みてなされたものであって、その目的とするところは、効率良く衝撃を緩和することができる緩衝シート及びこれを備えた電子機器を提供することにある。
【課題を解決するための手段】
【００１１】
前記課題を解決し目的を達成するために、本発明の緩衝シート及びこれを備えた電子機器は次のように構成されている。
【００１２】
（１）粘弾性を有するシート状の第１の部材と、前記第１の部材の両主面に設けられ、前記第１の部材より剛性の低い第２の部材とを具備する。
【００１３】
（２）粘弾性を有する第１の部材と、前記第１の部材を保持し、前記第１の部材より剛性が低い第２の部材とを具備し、前記第２の部材はシート状をしており、前記第１の部材は前記第２の部材の内部に含まれている。
【００１４】
（３）粘弾性を有する第１の部材と、前記第１の部材を保持し、前記第１の部材より剛性が低い第２の部材とを具備し、前記第２の部材は複数のシート状の部材で構成されており、前記第１の部材は前記第２の部材のシート状の部材の間に挟まれている。
【００１５】
（４）本体と、前記本体内に設けられる磁気記録装置とを具備し、前記本体と前記磁気記録装置との間に介装される（１）または（２）または（３）に記載された緩衝シートを有する。
【発明の効果】
【００１６】
本発明によれば、効率良く衝撃を緩和することができる。
【発明を実施するための最良の形態】
【００１７】
図１〜図４を参照しながら本発明の第１の実施の形態について説明する。
【００１８】
図１は本発明の第１の実施の形態に係る携帯情報端末を示す概略図である。
【００１９】
図１に示すように、本実施の形態に係る携帯情報端末（電子機器）は筐体１（本体）を有し、その内部には磁気ディスク装置２（磁気記録装置）が配置されている。そして、筐体１と磁気ディスク装置２の間には、落下等により磁気ディスク装置２に加わる衝撃を緩和するための緩衝シート３が介装されている。
【００２０】
図２は同実施の形態に係る磁気ディスク装置２を示す概略図である。
【００２１】
図２に示すように、この磁気ディスク装置２はケース２ａを有し、その内部には情報を記憶するための磁気ディスク２ｂが緩衝シート３（図１参照）と平行に配設されている。この磁気ディスク２ｂは略円板状をしており、その記録面と対向する位置には僅かな隙間を空けて磁気ヘッド２ｃが配設されている。磁気ディスク２ｂの径方向中心部にはモータ２ｄが接続され、このモータ２ｄを駆動することにより、磁気ディスク２ｂが高速回転するようになっている。
【００２２】
図３は同実施の形態に係る緩衝シート３を示す断面図である。
【００２３】
図３に示すように、この緩衝シート３は、シート状に形成された、粘弾性を有する第１の部材３ａと、第１の部材３ａの両面（両主面）にそれぞれ貼付され、シート状に形成された、第１の部材３ａより剛性の低い第２の部材３ｂとを具備している。なお、第１の部材３ａの材料としては、緩衝作用があれば必ずしも粘弾性を有している必要はない。
【００２４】
本実施の形態では、第１の部材３ａの材料としてスチレンゲル材等が用いられ、第２の部材３ｂの材料としてウレタンフォームや、第１の部材３ａの材料として用いるスチレンゲル材よりも剛性の低いスチレンゲル材等が用いられている。
【００２５】
緩衝シート３が筐体１と磁気ディスク装置２の間に介装された状態では、第２の部材３ｂが筐体１と磁気ディスク装置２にそれぞれ密着している。また、第２の部材３ｂと筐体１、及び第２の部材３ｂと磁気ディスク装置２は、第２の部材３ｂの粘着性を利用して位置ズレしないように密着している。
【００２６】
次に、図４を参照しながら携帯情報端末が磁気ディスク２ｂの軸心線方向に落下したときの緩衝シート３の作用について説明する。
【００２７】
図４は同実施の携帯に係る携帯情報端末が磁気ディスク２ｂの軸心線方向に落下したときの緩衝シートの作用を説明するための模式図である。なお、図４中符号Ｇは地面を示している。
【００２８】
図４に示すように、携帯情報端末が磁気ディスク２ｂの軸心線方向に落下すると、筐体１が着地した瞬間に筐体１内に過大な加速度が生じ、筐体１と磁気ディスク装置２が急激に接近する。これにより、筐体１と磁気ディスク装置２の間に介装された緩衝シート３が厚み方向（以下、「縦方向」と称する。）に圧縮され、また圧縮された分だけ厚み方向と略直交する方向（以下、「横方向」と称する。）に押し広げられる。
【００２９】
このとき、第１の部材３ａと筐体１、及び第１の部材３ａと磁気ディスク装置２の間には、剛性の低い第２の部材３ｂが介在しているため、第１の部材３ａの変形が筐体１や磁気ディスク装置２に拘束され難く、第１の部材３ａの縦方向全体に亘って均一な割合で押し広げられる。
【００３０】
前記構成の緩衝シート３によれば、シート状に形成された、粘弾性を有する第１の部材３ａの両面に、同じくシート状に形成された、第１の部材３ａより剛性の低い第２の部材３ｂを貼付している。そして、この緩衝シート３を携帯情報端末の筐体１と磁気ディスク装置２の間に介装し、第２の部材３ｂを筐体１と磁気ディスク装置２にそれぞれ密着させている。
【００３１】
そのため、携帯情報端末の落下等により緩衝シート３が縦方向に圧縮されると、第１の部材３ａが略全体に亘って均一な割合で変形し、第１の部材３ａ全体で落下の衝撃を吸収することになるから、効率良く所要の緩衝効果を得ることができる。逆に言えば、緩衝シート３を前記構成にすることで、所望の緩衝作用を得るために必要な第１の部材３ａの厚みを低減することができ、携帯情報端末の薄型化を実現できる。
【００３２】
次に、図５を参照しながら本発明の第２の実施の形態について説明する。なお、ここでは前記実施の形態と同様の構成、作用については、その説明を省略する。
【００３３】
図５は本発明の第２の実施の形態に係る緩衝シート２３を示す概略図、図６は同実施の形態に係る携帯情報端末が磁気ディスクの軸心線方向に落下したときの緩衝シート２３の作用を説明する説明図である。なお、図６中符号Ｇは地面を示している。
【００３４】
図５に示すように、本実施の形態に係る緩衝シート２３は、シート状に形成された、粘弾性を有する第１の部材２３ａと、第１の部材２３ａの両面に均一な密度で設けられ、略球状に形成された、第１の部材２３ａより剛性の低い第２の部材２３ｂとを具備している。なお、第１の部材２３ａの材料としては、緩衝作用があれば、必ずしも粘弾性を有している必要はない。また、第２の部材２３ｂは緩衝作用を有していれば均一な密度に設けられていなくてもよい。
【００３５】
本実施の形態では、第１の部材２３ａの材料としてスチレンゲル材等が用いられ、第２の部材２３ｂの材料としてウレタンフォームや、第１の部材２３ａの材料として用いるスチレンゲル材よりも剛性の低いスチレンゲル材等が用いられている。
【００３６】
緩衝シート２３が筐体１と磁気ディスク装置２の間に介装された状態では、第２の部材２３ｂが筐体１と磁気ディスク装置２にそれぞれ密着している。また、第２の部材２３ｂと筐体１、及び第２の部材２３ｂと磁気ディスク装置２は、第２の部材２３ｂの粘着性により位置ズレしないように密着している。
【００３７】
このように、第２の部材２３ｂを球状にすると、図６に示すように、隣接する第２の部材２３ｂの間に隙間が形成されるから、第２の部材２３ｂが変形し易くなる。これにより、筐体１や磁気ディスク装置２の第１の部材２３ａに対する拘束がさらに低減し、第１の部材２３ａが縦方向全体に亘って略均一な割合で変形するようになる。したがって、携帯情報端末の落下等により緩衝シート３が縦方向に圧縮されると、その衝撃が第１の部材３ａ全体で吸収されるから、効率良く所要の緩衝効果を得ることができる。
【００３８】
また、第２の部材２３ｂは変形可能であり、緩衝作用を有していれば球状に限定されるものではない。例えば円柱、角柱の形状などでもよい。
【００３９】
次に、図７と図８を参照しながら本発明の第３実施の形態について説明する。なお、ここでは前記実施の形態と同様の構成、作用については、その説明を省略する。
【００４０】
図７は本発明の第３の実施の形態に係る緩衝シート３３を示す概略図、図８は同実施の形態に係る携帯情報端末が磁気ディスク２ｂの軸心線方向に落下したときの緩衝シート３３の作用を説明する説明図である。なお、図８中符号Ｇは地面を示している。
【００４１】
図７に示すように、本実施の形態に係る緩衝シート３３は、球状に形成された、粘弾性を有する第１の部材３３ａと、シート状に形成され、第１の部材３３ａを保持する、第１の部材３３ａより剛性の低い第２の部材３３ｂとを具備している。なお、第１の部材３３ａの材料としては、緩衝作用があれば、必ずしも粘弾性を有している必要はない。第２の部材３３ｂの厚みは、第１の部材３３ａの直径と略一致しており、第２の部材３３ｂの表面からは第１の部材３３ａの一部が露出している。
【００４２】
第１の部材３３ａの材料としてはスチレンゲル材等が用いられ、第２の部材３３ｂの材料としてはウレタンフォームや、第１の部材３３ａの材料として用いるスチレンゲル材よりも剛性の低いスチレンゲル材等が用いられる。
【００４３】
緩衝シート３３が筐体１と磁気ディスク装置２の間に介装された状態では、第２の部材３３ｂが筐体１と磁気ディスク装置２にそれぞれ密着している。また、第２の部材３３ｂと筐体１、及び第２の部材３３ｂと磁気ディスク装置２は、第２の部材３３ｂの粘着性により位置ズレしないように密着している。更に、第１の部材３３ａのうち、第２の部材３３ｂの表面から露出した部分は筐体１と磁気ディスク装置２にそれぞれ点接触している。
【００４４】
このように、第１の部材３３ａを球状にすると、図８に示すように、第１の部材３３ａと筐体１、及び第１の部材３３ａと磁気ディスク装置２が略点接触することになる。これにより、筐体１や磁気ディスク装置２の第１の部材３３ａに対する拘束や摩擦抵抗が低減し、第１の部材３３ａが縦方向の力を受け横方向全体に亘って十分に変形するようになる。したがって、携帯情報端末の落下等により緩衝シート３が縦方向に力を受け、圧迫されると、その衝撃が第１の部材３３ａにより十分に吸収されるから、効率良く所要の緩衝効果を得ることができる。
【００４５】
更に、第１の部材３３ａを第２の部材３３ｂ内に埋め込んでいるため、第１の部材３３ａがバラバラになったり、第２の部材３３ｂ内で偏在したりするような事態を防止することができる。しかも、第２の部材３３ｂを第１の部材３３ａより剛性の低い材料で形成しているため、第１の部材３３ａの変形が第２の部材３３ｂにより必要以上に拘束されることもない。また、第２の部材３３ｂは変形可能であり緩衝作用を有していれば球状に限定されるものではない。
【００４６】
次に、図９と図１０を参照しながら本発明の第４の実施の形態について説明する。なお、ここでは前記実施の形態と同様の構成、作用については、その説明を省略する。
【００４７】
図９は本発明の第４の実施の形態に係る緩衝シート４３を示す概略図、図１０は同実施の形態に係る携帯情報端末が磁気ディスク２ｂの軸心線方向に落下したときの緩衝シート４３の作用を説明する説明図である。なお、図１０中符号Ｇは地面を示している。
【００４８】
図９に示すように、本実施の形態に係る緩衝シート４３は、第３の実施の形態に係る緩衝シート３３の変形例である。すなわち、第３の実施の形態では、第１の部材３３ａを第２の部材３３ｂで全体を覆っているが、本実施の形態では、第１の部材４３ａのうち、緩衝シート４３と接する部分の付近にだけに、すなわち筐体１側の部分と磁気ディスク装置２側の部分だけに第２の部材４３ｂを設けている。
【００４９】
このような構成にすれば、図１０に示すように、第２の部材４３ｂの第１の部材４３ａに対する拘束が低減するから、第１の部材４３ａは更に変形し易くなる。
【００５０】
なお、本実施の形態に係る緩衝シート４３では、第１の部材４３ａのうち、緩衝シート４３の縦方向両側部分にそれぞれ第２の部材４３ｂを設けているが、これに限定されるものではなく、第１の部材４３ａを保持できて、かつ第１の部材４３ａ周囲の少なくとも一部分に第１の部材４３ａが自由に変形できる空間部が存在すれば、どのような形態であってもよい。
【００５１】
また、前記各実施の形態では携帯情報端末について述べてきたが、これに限定されるものではなく、本発明は液晶表示装置や有機ＥＬディスプレイ等の表示装置にも適用することが可能である。すなわち、前記実施の形態に係る磁気ディスク装置２を液晶パネルに置き換え、この筐体１と液晶パネルの間に前記緩衝シールを介装すれば、本発明を液晶ディスプレイに適用することも可能となる。
【００５２】
本発明は、前記実施の形態そのままに限定されるものではなく、実施の段階ではその要旨を逸脱しない範囲で構成要素を変形して具体化できる。また、前記実施の形態に開示されている複数の構成要素の適宜な組み合せにより種々の発明を形成できる。例えば、実施の形態に示される全構成要素から幾つかの構成要素を削除してもよい。さらに、異なる実施の形態に亘る構成要素を適宜組み合せてもよい。
【図面の簡単な説明】
【００５３】
【図１】本発明の第１の実施の形態に係る携帯情報端末を示す概略図。
【図２】同実施の形態に係る磁気ディスク装置を示す概略図。
【図３】同実施の形態に係る緩衝シートを示す断面図。
【図４】同実施の携帯に係る携帯情報端末が磁気ディスクの軸心線方向に落下したときの緩衝シートの作用を説明するための模式図。
【図５】本発明の第２の実施の形態に係る緩衝シートを示す概略図。
【図６】同実施の形態に係る携帯情報端末が磁気ディスクの軸心線方向に落下したときの緩衝シートの作用を説明する説明図。
【図７】本発明の第３の実施の形態に係る緩衝シートを示す概略図。
【図８】同実施の形態に係る携帯情報端末が磁気ディスクの軸心線方向に落下したときの緩衝シートの作用を説明する説明図。
【図９】本発明の第４の実施の形態に係る緩衝シートの概略図。
【図１０】同実施の形態に係る携帯情報端末が磁気ディスクの軸心線方向に落下したときの緩衝シートの作用を説明する説明図。
【図１１】従来における緩衝部品を備えていない携帯情報端末が落下したときに磁気記録装置に作用する衝撃の作用を説明する説明図。
【図１２】従来における緩衝部品を備えた携帯情報端末が落下したときに磁気記録装置に作用する衝撃の吸収作用を説明する説明図。
【符号の説明】
【００５４】
１…筐体（本体）、２…磁気ディスク装置（磁気記録装置）、３ａ、２３ａ、３３ａ、４３ａ…第１の部材、３ｂ、２３ｂ、３３ｂ、４３ｂ…第２の部材、３、２３、３３、４３…緩衝シート。
【図１】
2006130697.tif 000003
【図２】
2006130697.tif 000004
【図３】
2006130697.tif 000005
【図４】
2006130697.tif 000006
【図５】
2006130697.tif 000007
【図６】
2006130697.tif 000008
【図７】
2006130697.tif 000009
【図８】
2006130697.tif 000010
【図９】
2006130697.tif 000011
【図１０】
2006130697.tif 000012
【図１１】
2006130697.tif 000013
【図１２】
2006130697.tif 000014